(57)【特許請求の範囲】
【請求項１】
害虫を誘引するための所定波長の光を放射する誘虫灯と、
この誘虫灯に誘引された害虫に対して、液体空気を噴射するノズルと、
前記誘虫灯を内部において支持し、前面に開口部が形成された本体ケースと、
前記誘虫灯に誘引された害虫を検出する検出手段と、
前記検出手段の検出結果に基づいて、前記ノズルから前記液体空気を噴射するように制御する噴射制御手段と、を備え、
前記ノズルは、前記本体ケースの長さ方向の両端に、その先端部が互いに対向するように前記本体ケースの内方に向けられて設けられたことを特徴とする殺虫装置。
【請求項２】
前記本体ケースの前面に、前記開口部を塞ぐ樹脂カバーが設けられ、該樹脂カバーに、前記本体ケースの長さ方向に延びるスリットが形成され、
前記検出手段は、前記スリットの高さに合わされて、前記本体ケースの両内側壁のうち奥行方向の前方側に設けられたことを特徴とする請求項１に記載の殺虫装置。
【請求項３】
前記ノズルにホーンが設けられたことを特徴とする請求項１または請求項２に記載の殺虫装置。
【請求項４】
液体空気を貯蔵する液体空気貯蔵部と、
圧縮空気を貯蔵する圧縮空気貯蔵部と、を備え、
前記液体空気貯蔵部及び前記圧縮空気貯蔵部と、前記ノズルとが、流体供給管を介して連結されていることを特徴とする請求項１から請求項３のいずれか一項に記載の殺虫装置。
【発明の詳細な説明】
【技術分野】
【０００１】
本発明は、害虫を殺傷するのに使用される殺虫装置に関するものである。
【背景技術】
【０００２】
近年、一般家屋や下水処理場、穀物倉庫などにおいて害虫を殺傷するための種々の殺虫装置が利用されている。それら殺虫装置の中には、害虫を誘引するための誘虫灯を備え、この誘虫灯に誘引された害虫に対して、殺虫薬剤を噴射するようにしたものが周知となっている。
また、誘虫灯を備え、この誘虫灯の近傍に、殺虫用の蒸散剤を設置するようにしたものも周知となっている（例えば、特許文献１参照。）。
【特許文献１】特開２０００−６９８９３号公報
【発明の開示】
【発明が解決しようとする課題】
【０００３】
しかしながら、上記のような殺虫薬剤を噴射するような構成では、装置近傍に置かれた食物や衣類などにも殺虫薬剤が及んでしまうおそれがある。特に、下水処理場や穀物倉庫などに設置する場合、噴射され飛散した殺虫薬剤が、下水に混入したり、穀物に降りかかったりしてしまう。
また、殺虫用の蒸散剤を設置する構成では、殺虫薬剤の飛散を防止することはできるものの、蒸散剤は、例えばジクロルボス（ＤＤＶＰ）などのように一般的に人や地球環境を汚染する物質からなるものが多く、それらを多用するのは好ましくない。
【０００４】
本発明は、このような事情に鑑みてなされたものであって、周囲に置かれたものや地球環境に影響を与えることなく、害虫を効果的に殺傷することができる殺虫装置を提供することを目的とする。
【課題を解決するための手段】
【０００５】
上記課題を解決するために、本発明は以下の手段を提供する。
本発明に係る殺虫装置は、害虫を誘引するための所定波長の光を放射する誘虫灯と、この誘虫灯に誘引された害虫に対して、液体空気を噴射するノズルと、前記誘虫灯を内部において支持し、前面に開口部が形成された本体ケースと、前記誘虫灯に誘引された害虫を検出する検出手段と、前記検出手段の検出結果に基づいて、前記ノズルから前記液体空気を噴射するように制御する噴射制御手段と、を備え、前記ノズルは、前記本体ケースの長さ方向の両端に、その先端部が互いに対向するように前記本体ケースの内方に向けられて設けられたことを特徴とする。
【０００６】
この発明に係る殺虫装置においては、誘虫灯に誘引された害虫に対して、ノズルから液体空気が噴射される。そして、液体空気をあびた害虫は、冷却刺激により死亡する。液体空気は、噴射されると、気化した後、暖められて通常の空気となる。
そのため、周囲の人、もの等や地球環境に影響を与えることがない。
なお、害虫とは、蚊、ハエなどの飛翔性昆虫や、ゴキブリ、ダニ、蚤、虱、アリなどの家屋害虫や、またはコクゾウムシ、コクヌストなどの貯穀害虫などをいい、さらには、病原性細菌、病原性ウィルスなどの微生物、ねずみなどの小動物も含まれるものとする。
【０００７】
また、本発明に係る殺虫装置は、前記本体ケースの前面に、前記開口部を塞ぐ樹脂カバーが設けられ、該樹脂カバーに、前記本体ケースの長さ方向に延びるスリットが形成され、前記検出手段は、前記スリットの高さに合わされて、前記本体ケースの両内側壁のうち奥行方向の前方側に設けられたことを特徴とする。
【０００８】
この発明に係る殺虫装置においては、誘虫灯に誘引された害虫が、スリットを通って本体ケースの内部に入り込む。一度入り込んだ害虫は、本体ケースの外部に出られず、その害虫に対して液体空気が噴射される。
これにより、本体ケースの内部に害虫を取り込んで、その害虫を効果的かつ確実に殺傷することができる。
【０００９】
また、本発明に係る殺虫装置は、前記ノズルにホーンが設けられたことを特徴とする。
【００１０】
また、本発明に係る殺虫装置は、液体空気を貯蔵する液体空気貯蔵部と、圧縮空気を貯蔵する圧縮空気貯蔵部と、を備え、前記液体空気貯蔵部及び前記圧縮空気貯蔵部と、前記ノズルとが、流体供給管を介して連結されていることを特徴とする。
【００１１】
この発明に係る殺虫装置においては、液体空気貯蔵部から流体供給管を介して液体空気がノズルに送られる。この液体空気は、圧縮空気貯蔵部から流体供給管を介して送られた圧縮空気により、ノズルから噴射する。
これにより、害虫に対して液体空気を確実に噴射することができる。
【発明の効果】
【００１９】
本発明によれば、液体空気を利用することから、周囲に置かれたものや地球環境に影響を与えることなく、害虫を効果的に殺傷することができる。
【発明を実施するための最良の形態】
【００２０】
（実施形態１）
以下、本発明の第１実施形態における殺虫装置について、図面を参照して説明する。
図１は、本発明の実施形態としての殺虫装置１を示したものである。
本実施形態における殺虫装置１は、下水処理場に設置されるものである。
殺虫装置１は、所定波長の光を放射する誘虫灯２と、この誘虫灯２を支持する本体ケース３とを備えている。
【００２１】
誘虫灯２は、誘中性の非常に高い例えば約３７０ｎｍの波長を有する紫外線などを放射するようになっている。なお、誘虫灯２の放射する光の波長は、３７０ｎｍに限られることはないが、例えば３００ｎｍから４２０ｎｍの範囲であれば好ましい。この誘虫灯２が、本体ケース３の内部に固定されている。
本体ケース３は、略矩形箱型に形成されており、下水処理場の側壁部などに設置することができるようになっている。また、本体ケース３の前面には、一面に開口部４が形成されており、その開口部４は開放されている。また、本体ケース３の内部であって、誘虫灯２の近傍には、液体空気を噴射するノズル６が設けられている。
【００２２】
ノズル６には、図２に示すように、液体空気を貯蔵する液体空気貯蔵部１１と、圧縮空気を貯蔵する圧縮空気貯蔵部１５とが、それぞれ液体空気供給管（流体供給管）１２及び圧縮空気供給管（流体供給管）１６を介して接続されている。そして、液体空気貯蔵部１１から液体空気供給管１２を介してノズル６に液体空気が供給されるようになっている。同様にして、圧縮空気貯蔵部１５から圧縮空気供給管１６を介してノズル６に圧縮空気が供給されるようになっている。
また、ノズル６は、図３に示すように、トリガー７を備えており、このトリガー７は、ノズル６の内部にあって液体空気の流量を調節するための液体空気弁８と、圧縮空気の流量を調節するための圧縮空気弁１９とに連動している。すなわち、トリガー７を引くと、液体空気弁８及び圧縮空気弁１９が開くようになっている。
【００２３】
また、液体空気弁８及び圧縮空気弁１９には、噴射時間間隔制御部（噴射時間間隔制御手段）２６が電気的に接続されている。噴射時間間隔制御部２６は、一定の時間間隔で噴射指示信号を出力するタイマー２９と、このタイマー２９からの噴射指示信号が入力される制御部３０とを備えている。制御部３０は、タイマー２９からの噴射指示信号が入力されると、液体空気弁８及び圧縮空気弁１９を所定の時間開けるようになっている。これにより、液体空気弁８及び圧縮空気弁１９は、一定の時間間隔で周期的に開閉するようになっている。
また、液体空気弁８及び圧縮空気弁１９の各開度の比率は、図２に示す開度比率調節部２０を操作することにより調節することができるようになっている。例えば、液体空気弁８に対して、圧縮空気弁１９をより広く開きたい場合には、開度比率調節部２０を操作して設定しておくことにより、トリガー７を引いた場合、または制御部３０から指示があった場合に、圧縮空気弁１９を液体空気弁８よりも広く開くことができるようになっている。
【００２４】
また、上述の図２に示す液体空気貯蔵部１１は、断熱性および耐圧性を有するボンベなどの容器であり、内部に液体空気が貯蔵されるようになっている。液体空気は、以下のようにしてなるものである。すなわち、例えば、窒素７８％、酸素２１％、アルゴン、ネオン、二酸化炭素、ヘリウム等１％の成分からなる大気中の空気を圧縮、冷却して圧力を下げたチャンバ−に噴射させる。すると、空気が膨張することによりその空気の温度が減少する。これを繰り返すことにより、空気が液体になる。得られた液体空気には蒸留などは行わずに、大気中の空気が有する窒素、酸素、希ガスなどの成分を保持したままにする。なお、液体空気の沸点は約−１９１．５度であるため、液体空気貯蔵部１１の内部は、この温度よりも低く保持される。また、液体空気貯蔵部１１には圧力・温度メータ２１が設けられている。
液体空気供給管１２は、液体空気が流通可能な流路を形成しており、液体空気貯蔵部１１とノズル６とを連結している。この液体空気供給管１２としては、非凍結性のメタルチューブなどが用いられる。
【００２５】
圧縮空気貯蔵部１５及び圧縮空気供給管１６は、それぞれ液体空気貯蔵部１１及び液体空気供給管１２と同様の構造を有しており、ノズル６内に圧縮空気を供給するようになっている。なお、圧縮空気貯蔵部１５にも圧力・温度メータ２１が設けられている。
さらに、ノズル６には、ホーン２４が設けられており、液体空気および圧縮空気が噴射する際に発生する騒音を軽減するようになっている。
このような構成のもと、トリガー７の操作により、または制御部３０からの指示により、液体空気弁８及び圧縮空気弁１９が開けられると、液体空気及び圧縮空気が、ノズル６内に導入され、それらがともにホーン２４を介して、本体ケース３の前方に向けて外部へ噴射されるようになっている。
【００２６】
次に、このように構成された本実施形態における殺虫装置１の作用について説明する。
誘虫灯２をＯＮして紫外線を放射すると、この紫外線に、ユスリカや蛾、蝿などの図１に示す害虫Ｋが誘引されて、本体ケース３の前方に集まってくる。
そして、あらかじめ設定された所定の時間が経過することにより、タイマー２９から噴射指示信号が出力されて、制御部３０に入力される。制御部３０は、噴射指示信号を受けると、液体空気弁８及び圧縮空気弁１９を開く。すると、ノズル６内に液体空気及び圧縮空気が供給されて、それら液体空気及び圧縮空気が、本体ケース３の前方に向けてホーン２４を介して外部へ噴射される。
【００２７】
これにより、害虫Ｋに液体空気が浴びせられる。害虫Ｋは、液体空気を浴びて急激に冷却されることにより死亡する。また、液体空気を直接浴びなかった場合においても、害虫Ｋは液体空気から気化した極低温の空気と接触することにより死亡する。
液体空気は、噴射した後に気化し、通常の空気に戻る。
そして、さらに所定の時間が経過すると、再度液体空気が噴射され、これら液体空気の噴射が一定の時間間隔で周期的に繰り返される。
【００２８】
以上より、本実施形態における殺虫装置１によれば、誘虫灯２によって誘引された害虫Ｋに対して、液体空気を浴びせることにより、冷却刺激によって殺虫効果を発揮することができる。また、噴射時間間隔制御部２６の制御のもと、一定時間間隔で液体空気を周期的に噴射させることから、簡易な構成によって容易に害虫Ｋを殺傷することができる。
さらに、液体空気は、気化した後、暖められて通常の空気に戻るため、下水などに混入しても、まったく無害となる。さらに、液体空気を殺虫剤として大量に使用しても、地球上の大気組成を変化させることがないので、地球環境に対して全く影響を与えない。
また、あらかじめ決められたタイミングだけでなく、トリガー７を操作することにより、任意のタイミングで、液体空気を噴射することができ、利便性を向上させることができる。
【００２９】
さらに、ノズル６内に、極低温の液体空気によって結氷が発生し、ノズル６が詰まったとしても、圧縮空気供給管１６を介して圧縮空気貯蔵部１５から供給される圧縮空気の圧力によって、この結氷を取り除くことができる。従って、安定的に液体空気を噴射することができる。また、液体空気は、圧縮空気とともに噴射されるため、この圧縮空気の圧力によって短時間で遠方に噴射することが可能となる。そのため、液体空気の有効射程範囲、すなわち液体空気が液体のまま害虫Ｋに到達する距離を延ばすことができる。
【００３０】
（実施形態２）
次に、本発明の第２の実施形態について説明する。
図４及び図５は、本発明の第２の実施形態を示したものである。
図４及び図５において、図１から図３に記載の構成要素と同一部分については同一符号を付し、その説明を省略する。
この実施形態と上記第１の実施形態とは基本的構成は同一であり、ここでは異なる点について説明する。
【００３１】
本実施形態においては、本体ケース３の前方に、赤外線センサ（検出手段）３１が設けられている。赤外線センサ３１は、赤外線を発する発光部３１ａと、発光部３１ａから発せられた赤外線を受光する受光部３１ｂとを備えている。受光部３１ｂは、例えばフォトダイオードなどからなっている。また、赤外線センサ３１は、噴射制御部（噴射制御手段）３４が電気的に接続されており、噴射制御部３４は、液体空気弁８及び圧縮空気弁１９に電気的に接続されている。
このような構成のもと、誘虫灯２に誘引されて、発光部３１ａと受光部３１ｂとの間に害虫が飛来し、発光部３１ａからの赤外線が遮られると、赤外線センサは噴射指示信号を出力し、この噴射指示信号が噴射制御部３４に入力される。噴射指示信号が入力されると、上記と同様にして、ノズル６からホーン２４を介して液体空気が噴出する。
【００３２】
以上より、本実施形態における殺虫装置１によれば、上記第１の実施形態に係る発明と同様の効果を奏することができるだけでなく、誘引された害虫を効率よく確実に殺傷することができる。
【００３３】
（実施形態３）
次に、本発明の第３の実施形態について説明する。
図６は、本発明の第３の実施形態を示したものである。
本実施形態における殺虫装置１は、例えば一般家屋などに設置されるものであり、本体ケース３が横型にして構成されている。
ノズル６は、少なくとも本体ケース３の内部を冷却するように設置されている。例えば、長さ方向の両端に設けられ、そして、それらノズル６は、互いに対向するように本体ケース３の内方に向けられていると好適である。また、ノズル６の近傍には、本体ケース３の長さ方向内方に向けられた赤外線センサ３１が設けられている。
【００３４】
このような構成のもと、誘虫灯２に誘引された害虫が、本体ケース３の内部に侵入し、赤外線センサ３１に検出されると、ノズル６から液体空気が噴射される。
以上より、本実施形態における殺虫装置１によれば、液体空気を本体ケース３の内部を中心として噴射することにより、効果的に害虫を殺傷することができる。そのため、たとえ殺虫装置１の近傍に液体空気が漏れたとしても、その液体空気は速やかに空気となるため、環境を汚染することがない。
【００３５】
（実施形態４）
次に、本発明の第４の実施形態について説明する。
図７は、本発明の第４の実施形態を示したものである。
本実施形態においては、本体ケース３の前面に、開口部４を塞ぐ樹脂カバー３５が設けられている。樹脂カバー３５は、例えば透明または半透明の樹脂からなっている。また、樹脂カバー３５には、本体ケース３の長さ方向に延びるスリット３６が形成されている。
また、赤外線センサ３１は、スリット３６の高さに合わされて、本体ケース３の内部に設置されている。すなわち、赤外線センサ３１は、本体ケース３の両内側壁のうち奥行方向の前方側に設置されている。
【００３６】
このような構成のもと、誘虫灯２によって誘引されて飛来した害虫は、スリット３６を通って、本体ケース３の内部に侵入する。このとき、赤外線センサ３１が、スリット３６の高さであって、本体ケース３の内側壁の前方側に設けられていることから、害虫がスリット３６を通過すると、直ちに赤外線センサ３１により検出され、液体空気が噴出される。
以上より、本実施形態における殺虫装置１によれば、スリット３６によって、本体ケース３の内部に侵入した害虫を逃がすことなく、確実に害虫を殺傷することができる。また、樹脂カバー３５が設けられることにより、本体ケース３の内部の温度が保持され易くなる。そのため、本体ケース３の内部の害虫に液体空気が直接触れなくても、液体空気から気化した極低温の空気が本体ケース３の内部で保持されて、その極低温の空気により効果的に害虫を殺傷することができる。
また、液体空気を使用しているため、スリット３６からその液体空気が漏れたとしても、環境を汚染することがない。
【００３７】
（実施形態５）
次に、本発明の第５の実施形態について説明する。
図８は、本発明の第５の実施形態を示したものである。
本実施形態における殺虫装置１は、主として一般家屋３９の床４０の下の床下４１に設置されるものである。殺虫装置１は、上述の誘虫灯２を備えておらず、噴射時間間隔制御部２６によって、一定の時間間隔で周期的に液体空気を噴射するようになっている。
これにより、飛翔性昆虫だけでなく、白アリ、ゴキブリ、ダニ、蚤、虱、アリなどの家屋害虫、さらには、病原性細菌、病原性ウィルスなどの微生物や、ねずみなどの小動物なども効果的に殺傷することができる。
【００３８】
なお、本実施形態において、誘虫灯２を備えないとしたが、これに限ることはなく、誘虫灯２を設置してもよい。これにより、害虫を効果的に誘引することができる。
また、本実施形態において、噴射時間間隔制御部２６を設けるとしたが、これに限ることはなく、上述と同様に赤外線センサを設け、この検出結果に基づいて、制御部の制御のもとに、液体空気を噴射するようにしてもよい。
さらに、殺虫装置１を床下４１に設けるとしたが、これに限ることはなく、設置場所は適宜変更可能である。例えば、天井裏、倉庫、床面、壁面または天井面などに設置してもよい。
【００３９】
また、上記第１から第５の実施形態において、液体空気の成分やその比率、沸点の温度などの各数値は、適宜変更可能である。
また、検出手段として赤外線センサを用いているが、これに限ることはなく、適宜変更可能である。
また、殺虫装置１の設置場所は、上記の場所に限ることはなく、適宜変更可能である。例えば、下水路や穀物倉庫などに設置することにより、下水や穀物などに影響を与えることなく、害虫を殺傷することができる。
また、本発明の技術範囲は上記の実施形態に限定されるものではなく、本発明の趣旨を逸脱しない範囲において、種々の変更を加えることが可能である。
【図面の簡単な説明】
【００４０】
【図１】本発明に係る殺虫装置の第１の実施形態を示す説明図である。
【図２】本実施形態において、液体空気を噴射する機構を示す説明図である。
【図３】図２のノズル周辺を拡大して示す説明図である。
【図４】本発明に係る殺虫装置の第２の実施形態を示す説明図である。
【図５】図４のノズル周辺を拡大して示す説明図である。
【図６】本発明に係る殺虫装置の第３の実施形態を示す全体構成図である。
【図７】本発明に係る殺虫装置の第４の実施形態を示す全体構成図である。
【図８】本発明に係る殺虫装置の第５の実施形態を示す図であって、床下に設置した様子を示す説明図である。
【符号の説明】
【００４１】
１    殺虫装置
２    誘虫灯
３    本体ケース
６    ノズル
１１  液体空気貯蔵部
１２  液体空気供給管（流体供給管）
１５  圧縮空気貯蔵部
１６  圧縮空気供給管（流体供給管）
２６  噴射時間間隔制御部（噴射時間間隔制御手段）
３１  赤外線センサ（検出手段）
３４  噴射制御部（噴射制御手段）
３６  スリット
Ｋ    害虫
【図１】
0004708141.tif 000002
【図２】
0004708141.tif 000003
【図３】
0004708141.tif 000004
【図４】
0004708141.tif 000005
【図５】
0004708141.tif 000006
【図６】
0004708141.tif 000007
【図７】
0004708141.tif 000008
【図８】
0004708141.tif 000009